【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
少なくとも４つの要素から成る分離チャンバー（７）を使用することによって、電解質含有溶液中に溶解または分散した物質を電気泳動させる方法であって、
該分離チャンバー（７）は、希釈側コンパートメント（１６）、濃縮側コンパートメント（１７）、陰極（１９）としての電極を備えた陰極コンパートメント（１８）、および陽極（２０）としての電極を備えた陽極コンパートメント（２１）を有しており、
個々のコンパートメントが、多孔質膜、特に限外濾過膜または精密濾過膜（１４,１５）によって相互に分けられており、
電極フラッシュ溶液で電極（１９、２０）をフラッシュし、
希釈側コンパートメント（１６）を連続的に通るように希釈側液を通過させ、また
濃縮側コンパートメント（１７）を連続的に通るように濃縮側液を通過させる
方法であって、
陰極（１９）と陽極（２０）との間で形成された電場によって、希釈側液中に溶解または分散した少なくとも１種類の物質を希釈側コンパートメント（１６）から濃縮側コンパートメント（１７）へと電気泳動により移動させ、また
希釈側コンパートメント（１６）と濃縮側コンパートメント（１７）との間の圧力差を少なくとも３ｋＰａとなるように設定する
ことを特徴とする方法。
【請求項２】
少なくとも４つの要素から成る分離チャンバー（７）、希釈側液のための入口ライン（２２）および出口ライン（２３）、濃縮側液のための入口ライン（２４）および出口ライン（２５）、電極フラッシュ溶液のためのオプションとしての入口ライン（２６）および出口ライン（２７）、ならびに、圧力を制御するデバイス（８；１０）および（９；１１）を有して成る膜電気泳動を実施するための装置であって、
該分離チャンバー（７）は、希釈側コンパートメント（１６）、濃縮側コンパートメント（１７）、陰極（１９）としての電極を備えた陰極コンパートメント（１８）、陽極（２０）としての電極を備えた陽極コンパートメント（２１）を少なくとも有し、
個々のコンパートメント（１６,１７,１８,２１）が、多孔質膜（１４,１５）、特に限外濾過膜および精密濾過膜（１４,１５）によって相互に分けられており、また
該圧力を制御するデバイス（８；１０）および（９；１１）によって、希釈側コンパートメント（１６）と濃縮側コンパートメント（１７）との間の圧力差が少なくとも３ｋＰａとなるように設定される、装置。
【手続補正２】
【補正対象書類名】明細書
【補正対象項目名】００４４
【補正方法】変更
【補正の内容】
【００４４】
本発明は、バッチ操作および連続操作のどちらの操作であっても用いることができる。ちなみに、上述した本発明は、次の態様を包含することに留意されたい：
第１の態様：  少なくとも４つの要素から成る分離チャンバー（７）を使用することによって、電解質含有溶液中に溶解または分散した物質を電気泳動させる方法であって、
該分離チャンバー（７）は、希釈側コンパートメント（１６）、濃縮側コンパートメント（１７）、陰極（１９）としての電極を備えた陰極コンパートメント（１８）、および陽極（２０）としての電極を備えた陽極コンパートメント（２１）を有しており、
個々のコンパートメントが、多孔質膜、特に限外濾過膜または精密濾過膜（１４,１５）によって相互に分けられており、
電極フラッシュ溶液で電極（１９、２０）をフラッシュし、
希釈側コンパートメント（１６）を連続的に通るように希釈側液を通過させ、また
濃縮側コンパートメント（１７）を連続的に通るように濃縮側液を通過させる
方法であって、
陰極（１９）と陽極（２０）との間で形成された電場によって、希釈側液中に溶解または分散した少なくとも１種類の物質を希釈側コンパートメント（１６）から濃縮側コンパートメント（１７）へと電気泳動により移動させ、また
希釈側コンパートメント（１６）と濃縮側コンパートメント（１７）との間の圧力差を少なくとも３ｋＰａとなるように設定する
ことを特徴とする方法。
第２の態様：  上記第１の態様において、濃縮側コンパートメント（１７）と希釈側コンパートメント（１６）との間を相互に分けている分離膜（１５）を通過する液体流れが実質的に抑制されるように、希釈側コンパートメント（１６）と濃縮側コンパートメント（１７）との間の圧力差を設定することを特徴とする方法。
第３の態様：  上記第１または２の態様において、複数の希釈側コンパートメント（１６ａ,１６ｂ,・・・）および濃縮側コンパートメント（１７ａ,１７ｂ,・・・）から構成される分離チャンバー（７ａ）であって、
希釈側コンパートメント（１６ａ,１６ｂ,・・・）と濃縮側コンパートメント（１７ａ,１７ｂ,・・・）とが、陽極コンパートメント（２１）と陰極コンパートメント（１８）との間にて交互に配置されており、また、限外濾過膜または精密濾過膜（１４,１５）によって相互に分けられており、更に、並列および／または直列に組み合わされて操作される分離チャンバー（７ａ）において、本発明の方法を実施することを特徴とする方法。
第４の態様：  上記第１〜３の態様のいずれかにおいて、希釈側液、濃縮側液および電極フラッシュ溶液、または、それらのいずれか１つを、相互に独立して温度制御し、好ましくは冷却することを特徴とする方法。
第５の態様：  上記第１〜４の態様のいずれかにおいて、  膜は、１〜１０００ｎｍの孔サイズを有していることを特徴とする方法。
第６の態様：  上記第５の態様において、膜は、セルロースエステル、ポリアクリロニトリル、ポリアミド、ポリエーテル、ポリエーテルスルホン、ポリプロピレン、ポリスルホン、ポリビニルアルコール、ポリフッ化ビニリデン、または、酸化アルミニウム、酸化シリコン、酸化チタン、酸化ジルコニウム及びそのような酸化物の混合セラミックスのうちの１種類から成ることを特徴とする方法。
第７の態様：  上記第１〜６の態様のいずれかにおいて、電極フラッシュ溶液によって、陽極コンパートメント（２１）および陰極コンパートメント（１８）を相互に独立にフラッシュすることを特徴とする方法。
第８の態様：  上記第１〜７の態様のいずれかにおいて、希釈側溶液、濃縮側溶液および電極フラッシュ溶液に用いられる電解質には、弱酸および弱塩基の組合せ、弱酸および強塩基の組合せ、または、強酸および弱塩基の組合せが含まれることを特徴とする方法。
第９の態様：  上記第８の態様において、電解質は、ホウ酸、リン酸、Ｎ-２-（アセトアミド）-２-アミノエタンスルホン酸、Ｎ-２-（アセトアミド）イミノ二酢酸、アラニン、２-アミノ-２-メチル-１,３-プロパンジオール、アンモニア、Ｎ,Ｎ-ビス（２-ヒドロキシエチル）-２-アミノエタンスルホン酸、Ｎ,Ｎ-ビス（２-ヒドロキシエチル）グリシン、２,２-ビス（ヒドロキシエチル）-イミノトリス（ヒドリキシメチル）メタン、２-（シクロヘキシルアミノ）エタンスルホン酸、酢酸、グリシン、グリシルグリシン、２-［４-（２-ヒドロキシエチル）-１-ピペラジニル］エタンスルホン酸、３-［４-［２-ヒドロキシエチル］-１-ピペラジニル］プロパンスルホン酸、ヒスチジン、イミダゾール、乳酸、２-モルフォリノエタンスルホン酸、２-モルフォリノプロパンスルホン酸、ピペラジン-1,４-ビス（２-エタンスルホン酸）、Ｎ-［トリス（ヒドリキシメチル）-メチル］-２-アミノエタンスルホン酸、Ｎ-［トリス（ヒドリキシメチル）-メチル］グリシン、トリエタノールアミン、トリス（ヒドロキシメチル）アミノメタン、クエン酸のうちの１種類の化合物またはそれ以上の種類の化合物を含んでいることを特徴とする方法。
第１０の態様：  上記第１〜９の態様のいずれかにおいて、膜表面に対する電流密度は、１０〜１０００Ａ／ｍ２であり、好ましくは１０〜５００Ａ／ｍ２であることを特徴とする方法。
第１１の態様：  上記第１〜１０の態様のいずれかにおいて、希釈側溶液の導電率は、０．１ｍＳ／ｃｍ〜４０ｍＳ／ｃｍであり、好ましくは０．１〜１０ｍＳ／ｃｍであることを特徴とする方法。
第１２の態様：  上記第１〜１１の態様のいずれかにおいて、希釈側溶液の導電率は、分離の間で低下することを特徴とする方法。
第１３の態様：  上記第１〜１２の態様のいずれかにおいて、特に、精密濾過、限外濾過、ナノ濾過または逆浸透等の液体透過と組み合わせることによって、分離の最終段階にて希釈側溶液を再濃縮して、希釈側コンパートメント（１６）に戻すことを特徴とする方法。
第１４の態様：  上記第１〜１３の態様のいずれかにおいて、タンパク質、ペプチド、ＤＮＡ、ＲＮＡ、オリゴヌクレオチド、オリゴ糖、多糖類、ウィルス、ウィルス成分、細胞、細胞成分、エナンチオマーおよびジアステレオマーのうちの１種類の物質またはそれ以上の種類の物質を処理することを特徴とする方法。
第１５の態様：  少なくとも４つの要素から成る分離チャンバー（７）、希釈側液のための入口ライン（２２）および出口ライン（２３）、濃縮側液のための入口ライン（２４）および出口ライン（２５）、電極フラッシュ溶液のためのオプションとしての入口ライン（２６）および出口ライン（２７）、ならびに、圧力を制御するデバイス（８；１０）および（９；１１）を有して成る膜電気泳動を実施するための装置であって、
該分離チャンバー（７）は、希釈側コンパートメント（１６）、濃縮側コンパートメント（１７）、陰極（１９）としての電極を備えた陰極コンパートメント（１８）、陽極（２０）としての電極を備えた陽極コンパートメント（２１）を少なくとも有し、
個々のコンパートメント（１６,１７,１８,２１）が、多孔質膜（１４,１５）、特に限外濾過膜および精密濾過膜（１４,１５）によって相互に分けられており、また
該圧力を制御するデバイス（８；１０）および（９；１１）によって、希釈側コンパートメント（１６）と濃縮側コンパートメント（１７）との間の圧力差が少なくとも３ｋＰａとなるように設定される、装置。
第１６の態様：  上記第１５の態様において、分離チャンバー（７）は、複数の希釈側コンパートメント（１６ａ,１６ｂ・・・）と濃縮側コンパートメント（１７ａ,１７ｂ・・・）とに分けられていることを特徴とする装置。
第１７の態様：  上記第１５または１６の態様において、複数の希釈側コンパートメント（１６ａ,１６ｂ,・・・）と濃縮側コンパートメント（１７ａ,１７ｂ,・・・）とが、陽極コンパートメント（２１）と陰極コンパートメント（１８）との間において交互に配置され、また、多孔質制限膜（１４）および分離膜（１５ａ）によって相互に分けられており、更に、好ましくは並列および／または直列に接続されていることを特徴とする装置。
第１８の態様：  上記第１５〜１７の態様のいずれかにおいて、希釈側循環路（１；４；２２；２３）に設けられた希釈側液用の入口ライン（２２）および出口ライン（２３）、
濃縮側循環路（２；５；２４；２５）に設けられた濃縮側液用の入口ライン（２４）および出口ライン（２５）、ならびに
電極フラッシュ循環路（３；６；２６；２７）に設けられた電極フラッシュ溶液用のオプションとしての入口ライン（２６）および出口ライン（２７）
を有することを特徴とする装置。
第１９の態様：  上記第１５〜１８の態様のいずれかにおいて、希釈側循環路、濃縮側循環路および電極フラッシュ循環路、ならびに、
特に、該希釈側循環路、該濃縮側循環路および該電極フラッシュ循環路のうちのいずれか１つまたは全てに設けられた熱交換機
を有することを特徴とする装置。
第２０の態様：  上記第１５〜１９の態様のいずれかにおいて、１〜１０００ｎｍの孔サイズを有する多孔質膜が設けられており、好ましくは、該多孔質膜が有機材料、無機材料またはそれらの混合物から形成されていることを特徴とする装置。
第２１の態様：  上記第１５〜２０の態様のいずれかにおいて、前記膜が、セルロースエステル、ポリアクリロニトリル、ポリアミド、ポリエーテル、ポリエーテルスルホン、ポリプロピレン、ポリスルホン、ポリビニルアルコール、ポリフッ化ビニリデン、または、酸化アルミニウム、酸化シリコン、酸化チタン、酸化ジルコニウム及びそのような酸化物の混合セラミックスから成る群から選択される材料から成ることを特徴とする装置。
第２２の態様：  上記第１８〜２１の態様のいずれかにおいて、電極フラッシュ溶液用の循環路には、陽極フラッシュ循環路と陰極フラッシュ循環路とが別個に設けられていることを特徴とする装置。